(57)【要約】【課題】よりアミューズメント性が高く、また、お決まりのポーズ以外のプリントも撮影可能なプリント装置の提供。【解決手段】ユーザーのリアルタイムな動画像である第一動画像を取得可能な画像取得手段と、第一動画像中のユーザー像の前景として第一動画像と合成される動画像である第二動画像、及び／又は、第一動画像中のユーザー像の背景として第一動画像と合成される動画像である第三動画像が記録されている記憶手段と、第一動画像からユーザー像を抽出し、該像と第二動画像及び／又は第三動画像とを合成して第四動画像を得るための動画像合成手段と、画像表示手段と、第四動画像を画像表示手段にリアルタイムに表示するための表示制御手段と、所定のタイミングで、第四動画像から１又は複数の合成静止画像を取得する手段と、１又は複数の合成静止画像を印刷用紙に印刷する画像印刷手段とを備えたプリント装置。【選択図】図６
2005119265.tif 000002
【特許請求の範囲】
【請求項１】
ユーザーのリアルタイムな動画像である第一動画像を取得可能な画像取得手段と、
第一動画像中のユーザー像の前景として第一動画像と合成される動画像である第二動画像、及び／又は、第一動画像中のユーザー像の背景として第一動画像と合成される動画像である第三動画像が記録されている記憶手段と、
第一動画像からユーザー像を抽出し、該像と第二動画像及び／又は第三動画像とを合成して第四動画像を得るための動画像合成手段と、
画像表示手段と、   
第四動画像を画像表示手段にリアルタイムに表示するための表示制御手段と、
所定のタイミングで、第四動画像から１又は複数の合成静止画像を取得する手段と、
１又は複数の合成静止画像を印刷用紙に印刷する画像印刷手段と
を備えたプリント装置。
【請求項２】
画像表示手段に表示されている第四動画像における前景及び／又は背景の動きと関連させた演出手段を更に備えた、請求項１記載のプリント装置。
【請求項３】
第二動画像と第三動画像は、両者が結合すると一体性のある動きを行う動画像である、請求項１又は２記載のプリント装置。
【請求項４】
ユーザーのリアルタイムな動画像である第一動画像を取得可能な第一の画像取得手段と、
別の対象物のリアルタイムな動画像である第五動画像を取得可能な第二の画像取得手段と、
第一動画像からユーザー像を抽出し、該像と第五動画像とを合成して第四動画像を得るための動画像合成手段と、
画像表示手段と、   
第四動画像を画像表示手段にリアルタイムに表示するための表示制御手段と、
所定のタイミングで、第四動画像から１又は複数の合成静止画像を取得する手段と、
１又は複数の合成静止画像を印刷用紙に印刷する画像印刷手段と
を備えたプリント装置。
【発明の詳細な説明】
【技術分野】
【０００１】
本発明は、「プリントクラブ」（登録商標）に代表される、デジタルビデオカメラ等の画像取得手段によりリアルタイムに取り込まれたユーザーの姿と前景及び／又は背景画像との合成画像をシートに印刷出力する装置に関する。
【背景技術】
【０００２】
ゲームセンターなどの娯楽施設や観光地などにおいては、「プリントクラブ」（登録商標）に代表される、デジタルスチルカメラ等の画像取得手段によりリアルタイムに取り込まれたユーザーの姿と背景画像との合成画像をシートに印刷出力するプリント装置が設置されている。このプリント装置は、デジタルスチルカメラと、モニタ装置と、装飾画の候補群を記憶する記憶手段と、この装飾画の候補群をモニタ装置の画面上に表示する第１の表示制御手段と、前記モニタ装置の画面上に表示された前記装飾画の候補群から多方向操作スイッチを用いて所望の候補を選択する手段と、前記選択された装飾画と前記デジタルスチルカメラで撮影したユーザーの人物画像とを合成する手段と、前記合成手段で合成された合成画像を前記モニタ装置の画面上に表示する第２の表示制御手段と、前記モニタ装置の画面上に表示されたその合成画像のポーズを決定する手段と、前記決定された合成画像を印刷用紙に印刷する画像印刷手段を備えている。
【特許文献１】特開２００１−３５２５０５
【発明の開示】
【発明が解決しようとする課題】
【０００３】
しかしながら、前記のプリントクラブ（登録商標）に代表されるプリント装置は、ユーザーの姿と装飾画（静止画像）とを合成する形式を採っているので、ユーザーは、静止した装飾画に対応した、画一化したポーズを採るに留まる。例えば、複数のユーザーで撮影を行う場合、当該ユーザーは、当該選択した装飾画の枠内に自身の顔が収まるような位置に立ち、かつ、笑顔やピースサインといったお決まりのポーズをした状態で、前記ポーズ決定手段を押すといった操作を行うのが典型である。そのため、本発明は、よりアミューズメント性が高く、また、前記お決まりのポーズ以外のプリントも撮影可能なプリント装置を提供することを目的とする。
【０００４】
本発明は、上記の問題に鑑みなされたものであり、本発明（１）は、
ユーザーのリアルタイムな動画像である第一動画像を取得可能な画像取得手段（デジタルビデオカメラ１１００）と、
第一動画像中のユーザー像の前景として第一動画像と合成される動画像である第二動画像、及び／又は、第一動画像中のユーザー像の背景として第一動画像と合成される動画像である第三動画像が記録されている記憶手段（記憶手段１０７０）と、
第一動画像からユーザー像を抽出し、該像と第二動画像及び／又は第三動画像とを合成して第四動画像を得るための動画像合成手段（動画像合成手段１０５０）と、
画像表示手段（モニターテレビ１２００）と、
第四動画像を画像表示手段（モニターテレビ１２００）にリアルタイムに表示するための表示制御手段（合成動画像表示制御手段１０４１）と、
所定のタイミングで、第四動画像から１又は複数の合成静止画像を取得する手段（プリント候補画像取得手段１０８０、選択静止画像判定手段１０１４）と、
１又は複数の合成静止画像を印刷用紙に印刷する画像印刷手段（プリント制御手段１０９０、高速カラープリンタ１３００）と
を備えたプリント装置である。
【０００５】
本発明（２）は、画像表示手段（モニターテレビ１２００）に表示されている第四動画像における前景及び／又は背景の動きと関連させた演出手段（演出手段１４００）を更に備えた、前記発明（１）のプリント装置である。
【０００６】
本発明（３）は、第二動画像と第三動画像は、両者が結合すると一体性のある動きを行う動画像である、前記発明（１）又は（２）のプリント装置である。
【０００７】
本発明（４）は、ユーザーのリアルタイムな動画像である第一動画像を取得可能な第一の画像取得手段（デジタルビデオカメラ１１００）と、
別の対象物のリアルタイムな動画像である第五動画像を取得可能な第二の画像取得手段｛デジタルビデオカメラ１１００（２）｝と、
第一動画像からユーザー像を抽出し、該像と第五動画像とを合成して第四動画像を得るための動画像合成手段（動画像合成手段１０５０）と、
画像表示手段（モニターテレビ１２００）と、     
第四動画像を画像表示手段（モニターテレビ１２００）にリアルタイムに表示するための表示制御手段（合成動画像表示制御手段１０４１）と、
所定のタイミングで、第四動画像から１又は複数の合成静止画像を取得する手段（プリント候補画像取得手段１０８０、選択静止画像判定手段１０１４）と、
１又は複数の合成静止画像を印刷用紙に印刷する画像印刷手段（プリント制御手段１０９０、高速カラープリンタ１３００）と
を備えたプリント装置である。
【発明の効果】
【０００８】
本発明（１）によれば、ユーザーのリアルタイムな動画像が、他の動画像と合成されてリアルタイムで画像表示手段に表示されるので、従来のような、静止前景又は背景画像上にユーザーのリアルタイムな動画像が合成されたものと比較し、アミューズメント性を高めることができる。また、前景及び／又は背景が動画像であることから、ユーザーが経時変化する動画像に反応し、これまでにないお決まりのポーズ以外のポーズが撮影できることが期待できる。
【０００９】
本発明（２）によれば、上記発明（１）の効果に加え、画像表示手段に表示されている合成動画像中の前景及び／又は背景動画の動きと関連させた演出手段を更に備えているので、例えば、前景及び／又は背景動画の動きに合わせて突風を起こしたり霧を吹きかけることによりアクシデント的な演出を発生させることが可能になり、このような演出により、ユーザーに前記お決まりのポーズ以外のポーズ、特にアクシデント的なポーズをさせることが可能になる。
【００１０】
本発明（３）によれば、上記発明（１）及び（２）の効果に加え、前景と背景が一体性のある動きを行うため、立体感のある演出が可能となる結果、よりアクシデント的なポーズが期待できるという効果を奏する。
【００１１】
本発明（４）によれば、ユーザーのリアルタイムな動画像が、他の動画像と合成されてリアルタイムで画像表示手段に表示されるので、従来のような、静止前景又は背景画像上にユーザーのリアルタイムな動画像が合成されたものと比較し、アミューズメント性を高めることができる。また、前景又は背景が動画像であることから、ユーザーが経時変化する動画像に反応し、これまでにないお決まりのポーズ以外のポーズが撮影できることが期待できる。更には、前景又は背景となる動画像もリアルタイムで撮影されたものであるので、その場、その瞬間でしか取得できないシールプリントをユーザーが得ることも可能になる。
【発明を実施するための最良の形態】
【００１２】
まず、本発明（１）〜（３）につき説明する。本発明に係るシールプリント装置は、ユーザーのリアルタイムな動画像である第一動画像を取得可能な画像取得手段を有する。好適には、デジタルデータとして動画像を取得できる画像取得手段、例えば、デジタルビデオカメラである。尚、本明細書における「動画」とは、画像が動いている限り特に限定されず、好適には１５フレーム／秒以上、より好適には３０フレーム／秒以上である。
【００１３】
本発明（１）〜（３）に係る記録手段は、第一動画像中のユーザー像の前景として第一動画像と合成される動画像である第二動画像、及び／又は、第一動画像のユーザー像の背景として第一動画像と合成される動画像である第三動画像が記録されている。尚、前景動画像候補として複数の動画像が記録されていても、及び／又は、背景動画像候補として複数の動画像が記録されていてもよい。更に、前景動画像のみを用いた場合や背景動画像のみを用いた場合を想定し、前者の場合のために背景静止画像、後者の場合のために前景静止画像が記録されていてもよい。
【００１４】
更に、本発明（１）〜（３）に係る記録手段は、合成の結果得られた第四動画像を記録可能に構成してもよく、このように構成することにより、装置で設定したタイミングで取得した静止画像をプリントアウトするだけでなく、撮影後に合成した第四動画像を再生し、ユーザーが所望のタイミングで静止画像を取得可能になったり、及び／又は、ユーザーが所持している動画像データ記録手段（例えば携帯電話）に第四動画像データを送信することが可能となる。
【００１５】
尚、前景動画像である第一動画像と背景動画像である第二動画像の両方を合成の際に使用する場合には、両者が結合すると一体性のある動きを行う合成動画像が得られるような動画像であることが好適である。例えば、ユーザー像の回りをボールが公転するような合成動画像が得られるように、時系列的に捉えると、ある時間までは前景動画像側でボールの動きを担当し｛例えば、右から左へボールが大きさを変えながら（ユーザー像の中心に来る程大きくなる）移動する｝、ある時間以後は背景動画像側でボールの動きを担当する｛左から右へボールが大きさを変えながら（ボールの大きさは中心に来る程小さくなり、ユーザーの背後に回ったときにはいったん消える）移動する｝ような第一動画像及び第二動画像とする。
【００１６】
本発明（１）〜（３）に係る動画像合成手段は、まず、第一動画像からユーザー像を抽出する作業を行う。この抽出作業は、例えば、クロマキー処理（画像取得手段によりユーザーの背景にクロマキーを配した形で第一動画像を取得した上で、クロマキー処理ソフトを用いる手法）により行う。
【００１７】
また、動画像合成手段は、抽出されたユーザー像と第二動画像及び／又は第三動画像とを合成する作業を行う。更に、動画像合成手段は、合成の際又は合成後に、各種画像処理、例えば、色を変えたり、顔の一部（例えば目の付近）にエフェクト処理を施すことが可能なように構成されている。
【００１８】
本発明（１）〜（３）に係る画像表示手段は、表示制御手段の制御に従い、第四動画像をリアルタイムで視覚的に表示可能な手段であれば特に限定されず、例えば、テレビモニタを挙げることができる。更に、画像表示手段は、第四動画像から取得された合成静止画像が複数の場合には、当該複数の合成静止画像をサムネイル画像の形態で表示可能に構成されていてもよい。
【００１９】
更に、記録手段中に複数の前景及び／又は背景動画像が記録されている場合には、画像表示手段は、当該複数の動画像をサムネイル画像の形態で表示可能に構成されていてもよい。この場合、画像表示手段は、ユーザーがサムネイル画像から所望の動画像（即ち、第一動画像及び／又は第二動画像）が選択可能な手段（例えば、ユーザーの操作に従って決定カーソルが移動可能なように構成したり、人の指やペンの感知手段を備えたタッチパネル形態）を有する。
【００２０】
尚、上記のように画像表示手段は、必須的には第四動画像をリアルタイムに表示し、場合によりサムネイル画像を表示するが、これらの表示は同一の画像表示装置で行う場合に限定されず、物理的に分割した二以上の画像表示装置（例えば一方がテレビモニタで他方がタッチパネル）で構成されていてもよい。
【００２１】
本発明（１）〜（３）に係る合成静止画像取得手段は、所定のタイミングで、前記合成動画像から１又は複数の合成静止画像を取得する機能を有する限り特に限定されない。ここで、「所定のタイミング」とは、装置側で、ランダムなタイミング、定期的なタイミング（例えば５秒おき）又は後述する演出手段に合わせたタイミングとしても、或いは、ユーザー側で、例えば決定ボタンを用いて任意に該タイミングを選択させる形を採ってもよい。また、前記のように、第四動画像データを記録する構成とした場合には、撮影後に再生し、ユーザーが所望のタイミングで決定ボタンを用いることで取得する形を採ってもよい。
【００２２】
本発明（１）〜（３）に係る画像印刷手段は、取得した１又は複数の合成静止画像を印刷用紙に印刷可能である限り特に限定されない。印刷紙に関しても、例えばシールやポストカード等、プリントクラブ（登録商標）等のプリント装置で用いられている一切のものを含め、特に限定されない。
【００２３】
尚、本発明（１）〜（３）に係るシールプリント装置は、画像表示手段に表示されている第四動画像における前景及び／又は背景の動きと関連させた演出手段を更に備えていてもよい。例えば、第四動画像の表示内容に即した音声を出す音声手段、第四動画像の表示内容に即したタイミングで振動を発生させる振動手段、第四動画像の表示内容に即したタイミングで風を発生させたり風力を調整する風発生手段、第四動画像の表示内容に即したタイミングで霧を発生させる霧吹手段等を挙げることができる。
【００２４】
次に、本発明（４）につき説明する。本発明（１）との相違点は、第一動画像と合成されるべき動画像が、第一動画像と同様、リアルタイムで取得した動画像であるという点である。尚、これ以外の構成は本発明（１）と変わらないので説明を省略する。本発明（４）に係るプリント装置は、別の対象物のリアルタイムな動画像である第五動画像を取得可能な第二の画像取得手段を有する。ここで、別の対象物は特に限定されず、例えば、動物園の動物や、野球場等におけるスポーツ施設におけるプレイヤー、コンサート等のイベントにおける歌手等の芸能人を挙げることができる。また、本発明（１）のように、第一動画像と第五動画像だけでなく、記録手段中に記録されている前景又は背景動画像と合成するように構成してもよい。その他、本発明（２）や本発明（３）の限定事項も包含するものである。
【００２５】
尚、本発明（１）〜（４）に係るシールプリント装置は、例えば、プリントクラブ（登録商標）のように、ユーザーを収納可能なボックス状であってもよい。この場合、１又は複数のユーザーを収納可能である限り、形状、大きさ、材質等は特に限定されない。例えば、円柱形状や直方体形状の収納ボックス（当該ボックスの入口が開放状になっているタイプやドア式になっているタイプ）を挙げることができる。尚、上記のボックス状のように、物理的に設置箇所と分割可能でそれ自体で流通可能な態様のみならず、例えば、カラオケボックスやカラオケスタジオ等、各要素がスペースに散在している状態や、本発明（４）のように第二の画像取得手段が典型的には別の対象物付近に備え付けられている場合であっても、全体として本発明（１）〜（４）の機能を有している限り、本発明の範囲内であることはいうまでもない。
【００２６】
本発明に関するシールプリント装置は、例えば、公共の場や施設、アミューズメント施設等、例えば、水族館、動物園、植物園、博物館・科学館、人物記念館、物産館、展望台、ゲームセンター、大型ショッピングセンター、カラオケ施設（各種飲食店、カラオケスタジオ、カラオケボックス）、遊園地、スポーツ施設等において利用でき、かつ、新車の試乗会の場に販売促進活動の一環として設置する等、ビジネス的にも利用可能である。
【００２７】
以下、本発明を実施するための最良の形態につき説明する。但し、あくまで最良の形態であり、本発明が適用可能なプリント装置、各手段が存在する場所や機能等、各種処理に関しての各ステップの順序や各ステップの処理を担う手段名等につき、以下の態様に限定されるものではない。
【００２８】
図１に示すように、本好適態様に係るプリント装置は、１又は複数のユーザーを収納可能なスペースを有するボックス（図示せず）内に、前記ボックスの内壁に設置された、クロマキーパネルＡと、クロマキーパネルＡに対する照明装置Ｑと、前記クロマキーパネルＡを背景とした状態での、ユーザーのリアルタイムな動画像を取得可能なデジタルビデオカメラ１１００と、ユーザーが視認可能な位置に設けられたモニターテレビ１２００と、各種制御を行う主制御装置（ＣＰＵ）１０００と、ペンタッチパネル１５００と、アウト口からシールプリント用紙Ｌを排出可能な高速カラープリンタ１３００と、コイン感知センサ１６００を備えたコイン投入口Ｐとを備えている。ペンタッチパネル１５００は、図示しないが、ユーザーは備えられたペンを使用して、フレームの決定、画像の取り込み、印刷等を実行する。その他、音響設備としてアンプＨを介してスピーカＩが、照明設備としてフラッシュコントローラＧを介してフラッシュＮが、更には、演出設備として風発生手段（送風機）１４３０が、夫々ボックス内に設置されている。更に、主制御装置１０００内には、各種動画像のソフトが記録されたハードディスクＫが備えられている。
【００２９】
次に、図２のブロック図を参照しながら、本好適態様に係るプリント装置の各要素を説明する。まず、図２に示すように、主制御装置１０００は、デジタルビデオカメラ１１００、モニターテレビ１２００、高速カラープリンタ１３００、演出手段１４００、ペンタッチパネル１５００及びコイン感知センサ１６００と情報伝達可能なように接続されている。はじめに、本好適態様に係る主制御装置１０００につき説明する。主制御装置１０００は、ペンタッチパネル１５００やコイン感知センサ１６００等を介してのユーザーの操作の有無及び内容を判定するためのユーザー操作判定手段１０１０、各処理における時間を制御するためのタイマ制御手段１０２０、デジタルビデオカメラ等の周辺機器を制御するための周辺機器制御手段１０３０、モニターテレビ１２００やペンタッチパネル１５００上の画像表示を制御するための表示制御手段１０４０、動画像同士を合成したり各種画像処理を行うための動画像生成手段１０５０、各種動画像や静止画像を記録するための記録手段１０７０、ユーザーがプリントを希望する静止画像を取得するためのプリント候補画像取得手段１０８０、ユーザーが選択した静止画像をプリントするためのプリント制御手段１０９０を有する。以下、上記各手段につき詳述する。
【００３０】
まず、ユーザー操作判定手段１０１０は、所定のコインが投入され、かつ、開始ボタンが押されたか否か等、好適態様に係るプリント処理を開始してもよいか否かを判定する開始条件判定手段１０１１と、ペンタッチパネル１５００上に表示された前景・背景動画像のサムネイル画像からユーザーがどの動画像を選択したかを判定するための選択動画像判定手段１０１２と、ユーザーがペンタッチパネル１５００上でどのような画像処理を選択したかを判定するための選択画像処理判定手段１０１３と、ユーザーがどの合成静止画像をプリント画像として選択したかを判定するための選択静止画像判定手段１０１４とを有している。タイマ制御手段１０２０は、デクリメントカウンタであるタイマ１０２１を有している。周辺機器制御手段１０３０は、デジタルビデオカメラ１１００の撮影開始や停止及びデータ送信等を制御するためのデジタルカメラ制御手段１０３１と、音声、振動、風、霧吹といった各種演出を制御するための演出制御手段１０３２を有している。表示制御手段１０４０は、モニターテレビ１２００の画面に合成動画像をリアルタイムで表示するよう制御するための合成動画像表示制御手段１０４１と、前景・背景動画像の候補群をペンタッチパネル１５００上にサムネイル表示したり、取得した合成静止画像のプリント候補群をペンタッチパネル１５００上にサムネイル表示するためのサムネイル画像表示制御手段１０４２とを有している。動画像生成手段１０５０は、取得したユーザーの動画像データからユーザーの姿を抽出するためのユーザー像抽出手段１０５１と、前記ユーザーの姿の動画像データとユーザーに選択された前景・背景動画像データとを合成するための動画像合成手段１０５２と、合成された動画像データに所定の画像処理を施すための画像処理手段１０５３とを有する。記録手段１０７０は、複数の前景動画像データが記録されている前景動画像記録手段１０７１と、複数の背景動画像データが記録されている背景動画像記録手段１０７２と、合成された動画像データを記録するための合成動画像記録手段１０７３と、合成動画像から所定のタイミングでピックアップされた合成静止画像（プリント候補静止画像）を記録するための合成静止画像記録手段１０７４とを有する。
【００３１】
次に、図３のフローチャートを参照しながら、本好適態様に係るプリント装置のメインの流れを説明する。まず、ステップ１００の動画像選択処理で、ユーザーが合成されるべき動画像を選択する際の一連の処理を行い、次に、ステップ２００の周辺機器制御処理で、デジタルビデオカメラを制御してユーザーの撮影を行うと共に他の周辺機器の制御を行い、次に、ステップ３００の動画像合成処理で、ユーザーが選択した動画像とデジタルビデオカメラで取得した動画像とを合成する処理を行い、最後に、ステップ４００のプリント処理で、所望の静止合成画像をプリントアウトする処理を行う。以下、これらの各処理について詳述する。以下、図４〜図７のフローチャートを参照しながら、本好適態様に係るプリント装置の処理の流れを更に詳述する。
【００３２】
まず、図４のフローチャートを参照しながら、本好適態様に係るプリント装置の動画像選択処理を説明する。はじめに、ステップ１１０で、開始条件判定手段１０１１が、開始条件が成立したか否かを判定する。具体的には、開始条件判定手段１０１１が、コイン感知センサ１６００が所定のコイン（例えば２００円）を感知し、かつ、ユーザーがペンタッチパネル１５００上の開始ボタンを押したか否かを判定する。次に、ステップ１１０でＹｅｓの場合には、タイマ制御手段１０２０は、タイマ１０２１をゼロクリアすると共に、所定時間をセットする。次に、ステップ１２０で、サムネイル画像表示制御手段１０４２は、記録手段１０７０の前景動画像記録手段１０７１中に記録されている前景動画像と、背景動画像記録手段１０７２中に記録されている背景動画像とをサムネイル画像としてモニターテレビ１２００の画面上に表示する。次に、ステップ１３０で、選択動画像判定手段１０１２が、ユーザーが所望の動画像を未選択か否か（前景動画像・背景動画像）を判定する。そして、ユーザーが所望の動画像を選択した場合には、ステップ１３５で、選択動画像判定手段１０１２は、カーソル位置にある動画像を選択された動画像と認定し、次に、ステップ１４０で、合成動画像表示制御手段１０４１は、記録手段１０７０中の前景動画像記録手段１０７１及び背景動画像記録手段１０７２から、ユーザーが選択した動画像データをメモリに読み込み、次の処理（周辺機器制御処理２００）に移行する。ステップ１３３で、タイマ制御手段１０２０が、ユーザーが所望の動画像を未選択である状態でタイムアップしたと判定した場合には、ステップ１３５に移行し、選択動画像判定手段１０１２は、その時点でカーソルが位置する動画像を強制的に選択し、ステップ１４０に移行する。尚、ステップ１１０でＮｏの場合は開始条件成立までループし、ステップ１３３でＮｏの場合にはステップ１３５に移行する。
【００３３】
次に、図５のフローチャートを参照しながら、本好適態様の周辺機器制御処理を詳述する。まず、ステップ２１０で、タイマ制御手段１０２０は、タイマをゼロクリアし、所定時間セットする。次に、ステップ２２０で、デジタルカメラ制御手段１０３１は、デジタルビデオカメラ１１００を駆動してユーザーを撮影すると共に、ステップ２３０で、この動画像データをリアルタイムに主制御装置２３０に送信するよう制御する。そして、演出制御手段１０３２は、ステップ２４０で、タイマが所定値に達したと判定した場合には、ステップ２５０で、演出手段１４００のいずれか又は複数の手段（音声手段１４１０、振動手段１４２０、風発生手段１４３０、１４４０）を駆動して所定の演出を行う。この演出は、タイムアップするまで繰り返される。そして、ステップ２６０で、周辺機器制御手段１０３０がタイムアップと判定した場合には、周辺機器制御手段１０３０は、デジタルビデオカメラ１１００を停止すると共に、ステップ２８０で、主制御装置への動画像データの送信を停止するよう制御する。
【００３４】
次に、図６のフローチャートを参照しながら、本好適態様の動画像合成処理を詳述する。まず、ステップ３１０で、タイマ制御手段１０２０は、タイマをゼロクリアし、所定時間セットする。次に、ステップ３２０で、まず、ユーザー像抽出手段１０５１が、デジタルビデオカメラ１１００から送信された動画像の各コマからユーザー像を抽出し、次に、動画像合成手段１０５２が、当該各コマのユーザー像と選択された背景動画像の各コマの静止画像を合成すると共に、画像処理手段１０５３が、合成された各コマの静止画像に適宜画像処理（例えば、ホラー処理）を施す。そして、ステップ３３０で、合成動画像表示制御手段１０４１は、合成された各コマの静止画像をモニターテレビ１２００に逐次送信することにより、合成動画像をモニターテレビ１２００上にリアルタイムに表示する。次に、ステップ３４０で、プリント候補画像取得手段１０８０は、タイマが所定値に達したか否かを判定し、所定値に達したと判定した場合には、当該合成静止画像を合成静止画像記録手段１０７４に記録する。そして、取得は、タイムアップするまで繰り返される。次に、ステップ３６０で、動画像生成手段１０５０が、タイムアップと判定した場合には、画像合成処理を終了し、モニターテレビ１２００への動画像データの送信を停止し、次の処理（プリント処理）に移行する。
【００３５】
次に、図７のフローチャートを参照しながら、本好適態様のプリント処理を詳述する。まず、ステップ４１０で、タイマ制御手段１０２０は、タイマをゼロクリアし、所定時間セットする。次に、ステップ４２０で、プリント制御手段１０９０は、合成静止画像記録手段１０７４中に記録された静止画像を読み込み、サムネイル画像表示制御手段１０４２は、前記静止画像をペンタッチパネル１５００上にサムネイル画像表示する。次に、ステップ４３０で、選択静止画像判定手段１０１４は、ユーザーが所望の静止画像を未選択か否かを判定する。そして、ユーザーが所望の静止画像を選択した場合には、ステップ４５０に移行し、選択静止画像判定手段１０１４は、カーソル位置の静止合成画像を、ユーザーがプリントを希望する画像と認識し、続いて、ステップ４６０で、プリント制御手段１０９０は、高速カラープリンタ１３００を制御し、当該選択された静止画像をプリント（シールプリント）する。また、ステップ４４０で、タイマ制御手段１０２０が、ユーザーが所望の静止画像を未選択である状態でタイムアップしたと判定した場合には、ステップ４５０で、選択静止画像判定手段１０１４は、その時点でカーソルが位置する静止画像を強制的に選択し、ステップ４６０に移行する。
【００３６】
次に、本好適態様の作用（動作）について説明する。まず、ユーザーが、コイン投入口Ｐに所定額のコイン（例えば２００円）を投入すると、ペンタッチパネル１５００上に、合成されるべき前景・背景動画像のサムネイル画像が一覧表示される。次に、ユーザーは、ペンタッチパネル１５００上に表示された複数のサムネイル画像から所望の前景・背景動画像をペンで選択する。ユーザーが選択後、撮影が開始し、モニターテレビ１２００上には、ユーザーの姿と選択した前景・背景の合成動画像がリアルタイムに映し出される。そして、モニターテレビ１２００上の背景に突然幽霊が出現すると同時に、音声手段１４１０が奇声を発すると共に、振動手段１４２０が振動を起こし、これと同時に合成静止画像が取得される。そして、所定枚数静止画像を取得して撮影は終了する。終了後、ペンタッチパネル１５００上には取得された合成静止画像がサムネイル表示され、ユーザーが希望する画像を選択した後、プリントアウト口から当該画像が印刷されたシールが出てきて終了する。
【００３７】
次に、図８及び図９を参照しながら別の好適態様につき説明する。上記好適態様との相違点は、上記好適態様においては前景動画像及び背景動画像は記録手段１０７０中に記録されていたが、本好適態様においては、前景動画像及び／又は背景動画像もリアルタイムに取得するというものである。即ち、リアルタイムに取得した複数の動画像データを合成し、リアルタイムにモニタテレビ１２００上に表示するという態様である。
【００３８】
まず、図８に示すように、本好適態様においては、ユーザーを撮影するためのデジタルビデオカメラ１１００以外に、デジタルビデオカメラ１１００（２）が、ボックスの外側の適当な場所（例えば動物園であれば象の前、コンサートであれば歌手の前）に設置されている。そして、このデジタルビデオカメラ１１００（２）からリアルタイムに、有線又は無線により動画像データが主制御装置１０００に送信される。
【００３９】
また、図９に示すように、上記好適態様においては、主制御装置１０００に二つのデジタルビデオカメラ｛１１００、１１００（２）｝がデータ送受信可能なように接続されている。尚、記録手段１０７０中には、本態様においては、ユーザーの動画像と合成されるべき前景・背景動画像は記録されていない。但し、前景・背景動画像の一方だけデジタルビデオカメラ１１００（２）でリアルタイムに取得し、他方は記録手段１０７０中に記録された動画像を用い、これらを合成する手法を採ってもよく、更には、ユーザーの希望により、デジタルビデオカメラ１１００（２）でリアルタイムに取得した動画像と合成するか、或いは、記録手段１０７０中に記録された前景及び／又は背景動画像と合成するかを決定できる手法を採ってもよい。
【図面の簡単な説明】
【００４０】
【図１】図１は、本好適態様に係るプリント装置の系統図の一例である。
【図２】図２は、本好適態様に係るプリント装置のブロック図の一例である。
【図３】図３は、本好適態様に係るプリント装置における全体処理のフローチャートの一例である。
【図４】図４は、本好適態様に係るプリント装置における動画選択処理のフローチャートの一例である。
【図５】図５は、本好適態様に係るプリント装置における周辺機器制御処理のフローチャートの一例である。
【図６】図６は、本好適態様に係るプリント装置における動画像合成処理のフローチャートの一例である。
【図７】図７は、本好適態様に係るプリント装置におけるプリント処理のフローチャートの一例である。
【図８】図８は、本好適態様に係るプリント装置の系統図の一例である。
【図９】図９は、本好適態様に係るプリント装置のブロック図の一例である。
【符号の説明】
【００４１】
１０１４  選択静止画像判定手段
１０４１  合成動画像表不制御手段
１０５０  動画像合成手段
１０７０  記録手段
１０８０  プリント候補画像取得手段
１０９０  プリント制御手段
１１００、１１００（２）  デジタルビデオカメラ
１２００  モニターテレビ
１３００  高速カラープリンタ
１４００  演出手段
【図１】
2005119265.tif 000003
【図２】
2005119265.tif 000004
【図３】
2005119265.tif 000005
【図４】
2005119265.tif 000006
【図５】
2005119265.tif 000007
【図６】
2005119265.tif 000008
【図７】
2005119265.tif 000009
【図８】
2005119265.tif 000010
【図９】
2005119265.tif 000011